(57)【要約】【課題】迅速に表面の変形を行うことができる触覚提示装置を提供すること。【解決手段】触覚提示装置は、基材と、弾性層と、流体移送装置とを具備する。上記基材は、第１の空間を形成し、第１の貫通孔を有する。上記弾性層は、上記基材の上記第１の貫通孔を含む表面を覆う。上記流体移送装置は、上記弾性層と上記基材との間に、上記第１の貫通孔を介して流体を注入する。上記流体移送装置による上記流体の注入により上記弾性層と上記基材との間の第２の空間の内圧が上記第１の空間の内圧より高くなることにより上記弾性層は膨張し、上記流体移送装置の稼動の停止により上記第２の空間内に注入された流体は第２の貫通孔を介して上記第２の空間の外部に排気される。【選択図】図５
2019044111.tif 000002
【特許請求の範囲】
【請求項１】
第１の空間を形成し、第１の貫通孔を有する基材と、
前記基材の前記第１の貫通孔を含む表面を覆う弾性層と、
前記弾性層と前記基材との間に、前記第１の貫通孔を介して流体を注入する流体移送装置と
を具備し、
前記流体移送装置による前記流体の注入により前記弾性層と前記基材との間の第２の空間の内圧が前記第１の空間の内圧より高くなることにより前記弾性層は膨張し、前記流体移送装置の稼動の停止により前記第２の空間内に注入された流体は第２の貫通孔を介して前記第２の空間の外部に排気される
触覚提示装置。
【請求項２】
請求項１に記載の触覚提示装置であって、
前記弾性層は、利用者の身体部位に接触可能に構成され、
前記弾性層によって覆われる前記基材の領域は、前記身体部位に対して凸状の面を有する
触覚提示装置。
【請求項３】
請求項２に記載の触覚提示装置であって、
前記弾性層によって覆われる前記基材の領域は凸曲面を有する
触覚提示装置。
【請求項４】
請求項３に記載の触覚提示装置であって、
前記弾性層は長手方向を有する形状を有し、
前記弾性層は、その長手方向が前記凸曲面の曲面方向と一致するように配置される
触覚提示装置。
【請求項５】
請求項４に記載の触覚提示装置であって、
前記流体移送装置の稼動が停止されている時に、前記第２の空間の体積が0となることが可能に構成される
触覚提示装置。
【請求項６】
請求項５に記載の触覚提示装置であって、
前記流体移送装置は、前記第２の空間内の流体を前記第１の空間へ排気する排気弁を備える
触覚提示装置。
【請求項７】
請求項６に記載の触覚提示装置であって、
前記第２の貫通孔は前記基材に設けられ、
前記弾性層は、前記基材の前記第１の貫通孔及び前記第２の貫通孔を含む表面を覆う
触覚提示装置。
【請求項８】
請求項６に記載の触覚提示装置であって、
前記第２の貫通孔は前記弾性層に設けられる
触覚提示装置。
【請求項９】
請求項７に記載の触覚提示装置であって、
前記基材は複数の第１の貫通孔を有し、
前記流体移送装置は前記第１の貫通孔毎に設けられ、前記弾性層は前記第１の貫通孔毎に設けられる
触覚提示装置。
【請求項１０】
請求項９に記載の触覚提示装置であって、
前記弾性層と前記基材との間に形成される前記第２の空間は、互いに流体が移動可能な複数の領域に分割されている
触覚提示装置。
【請求項１１】
請求項１０記載の触覚提示装置であって、
前記弾性層は部分的に厚みが異なる
触覚提示装置。
【請求項１２】
請求項１０に記載の触覚提示装置であって、
前記弾性層は、その表面に突起を有する
触覚提示装置。
【請求項１３】
請求項１１に記載の触覚提示装置であって、
前記基材の前記弾性層によって覆われる領域の一部に突起が配置される
触覚提示装置。
【請求項１４】
請求項１３に記載の触覚提示装置であって、
前記基材と前記弾性層との間に設けられた内包材
を更に具備する触覚提示装置。
【請求項１５】
請求項１４に記載の触覚提示装置であって、
前記弾性層の、前記基材が配置される側とは反対側の面に設けられた外包材
を更に具備する触覚提示装置。
【請求項１６】
請求項１５に記載の触覚提示装置であって、
前記弾性層は利用者によって把持される把持部に設けられる
触覚提示装置。
【請求項１７】
請求項１５に記載の触覚提示装置であって、
第３の空間を有する外装部を更に具備し、
前記基材は、前記第３の空間内で、前記外装部の内壁面とともに前記第１の空間を形成する
触覚提示装置。
【発明の詳細な説明】
【技術分野】
【０００１】
本技術は、ユーザに対し触覚の提示を行うための触覚提示装置に関する。
【背景技術】
【０００２】
例えば仮想現実感技術の分野では、視覚情報や聴覚情報に加えて対象者に触覚を提示する試みが行われている。触覚刺激を利用者に対して提示する装置として空気圧を用いた装置が提案されている。【０００３】
特許文献１には、ステアリングホイールのリング部の円周に、エアポンプにより膨張可能なチューブが装着される構成が記載されている。チューブの中空内は、オリフィスにより複数のチャンバに区画されている。複数のチャンバは、膨張可能な連結蓋により、互いに隣接するチャンバとの間で空気の流出入が可能に連結されている。【０００４】
チューブの一端にはエアポンプが接続され、チューブの中空内に空気を注入する。チューブの他端にはバキュームポンプが接続され、チューブの中空部の空気を吸引する。【０００５】
空気が注入されると、エアポンプに最も近いチャンバ内の圧力が高まる。そして、このチャンバ内の圧力が高まり、隣接するチャンバとの間に設けられている連結蓋が膨張することにより、隣接するチャンバとの間で空気の流出入可能に連通し、隣接するチャンバへ空気が入る。このように、チューブ内への空気の注入により、エアポンプに近い側から遠い側に向かってチャンバが順次膨張していく。【０００６】
すべてのチャンバに空気が充填されると、空気の注入が停止され、バキュームポンプによる空気の吸引が開始される。これにより、すべてのチャンバが収縮する。この膨張と収縮を繰り返すことで、リング部を把持している運転者に対して、手の表面を何かが移動したような触感を与えている。【０００７】
特許文献２には、携帯端末に視触覚ユーザインターフェースパネルを設ける構成が記載されている。視触覚ユーザインターフェースパネルの一部を構成する透明シートは、表面が平坦なタッチパネル機能を備えるディスプレイパネル上に配置される。【０００８】
視触覚ユーザインターフェースパネルでは、流体の吐出と吸引が可能なポンプを用いて透明シートの膨張と縮小が行われ、空気圧によりタッチ操作面をドーム状の凸形状に変形させている。タッチ操作面を凸形状に変形可能とすることにより、視覚的及び触覚的な形態で使用者に情報を伝えることが可能となっている。
【先行技術文献】
【特許文献】
【０００９】
【特許文献１】特開２０１６−６８７５５号公報
【特許文献２】特開２００９−６４３５７号公報
【発明の概要】
【発明が解決しようとする課題】
【００１０】
特許文献１に記載される構造においては、連結蓋が膨張することにより運転者に触覚刺激を与えている。特許文献１に記載される構造では、チャンバの内圧上昇により、チャンバと連結蓋との間の空間に空気が流れ込むことにより連結蓋が膨張する。このため、連結蓋を膨張させるために、まずチャンバの内圧を上昇させる必要があり、連結蓋を膨張するまでに時間を要する。【００１１】
以上のような事情に鑑み、本技術の目的は、迅速に表面の変形を行うことができる触覚提示装置を提供することにある。
【課題を解決するための手段】
【００１２】
上記目的を達成するため、本技術に係る触覚提示装置は、基材と、弾性層と、流体移送装置とを具備する。
上記基材は、第１の空間を形成し、第１の貫通孔を有する。
上記弾性層は、上記基材の上記第１の貫通孔を含む表面を覆う。
上記流体移送装置は、上記弾性層と上記基材との間に、上記第１の貫通孔を介して流体を注入する。
上記流体移送装置による上記流体の注入により上記弾性層と上記基材との間の第２の空間の内圧が上記第１の空間の内圧より高くなることにより上記弾性層は膨張し、上記流体移送装置の稼動の停止により上記第２の空間内に注入された流体は第２の貫通孔を介して上記第２の空間の外部に排気される。【００１３】
このような構成によれば、弾性層は第２の空間内への流体の注入により膨張し、第２の空間内に注入された流体は弾性層の元に戻ろうとする弾性力により第２の貫通孔を介して排気される。このような弾性層の膨張及び収縮により、弾性層に接する利用者の身体部位に対して何らかの触覚を提示することができる。【００１４】
上記弾性層は、利用者の身体部位に接触可能に構成され、上記弾性層によって覆われる上記基材の領域は、上記身体部位に対して凸状の面を有してもよい。【００１５】
このように基材の弾性層が配置される領域が凸状の面となっているので、平面上に弾性層を設け流体を注入して弾性層を膨張させる場合と比較して、少ない流体流量で弾性層を変位させることができる。従って、弾性層の膨張と縮小をそれぞれ短時間で行うことができ、多様な触覚提示を行うことができる。【００１６】
上記弾性層によって覆われる上記基材の領域は凸曲面を有してもよい。【００１７】
上記弾性層は長手方向を有する形状を有し、上記弾性層は、その長手方向が上記凸曲面の曲面方向と一致するように配置されてもよい。【００１８】
このように弾性層の長手方向と基材の曲面方向とが一致するように配置されることにより、弾性層の短手方向と曲面方向とが一致するように配置するよりも、第２の空間内への流体の注入及び第２の空間の流体の排気を速やかに行われる。【００１９】
上記流体移送装置の稼動が停止されている時に、上記第２の空間の体積が0となることが可能に構成されてもよい。【００２０】
これにより、少ない流体流量で迅速に第２の空間内の内圧を上昇させることができ、弾性層を短時間で膨張させることができる。【００２１】
上記流体移送装置は、上記第２の空間内の流体を上記第１の空間へ排気する排気弁を備えていてもよい。【００２２】
これにより、第２の貫通孔に加え、排気弁からも第２の空間内の流体を第２の空間外へ排気することができ、排気効率が向上する。これにより弾性層の縮小を速やかに行うことができる。【００２３】
上記第２の貫通孔は上記基材に設けられ、上記弾性層は、上記基材の上記第１の貫通孔及び上記第２の貫通孔を含む表面を覆ってもよい。
これにより、第２の空間内に注入された流体は、第２の貫通孔を介して第１の空間へ排気される。【００２４】
上記第２の貫通孔は上記弾性層に設けられていてもよい。
これにより、第２の空間内に注入された流体は、触覚提示装置の外部へ排気される。【００２５】
上記基材は複数の第１の貫通孔を有し、上記流体移送装置は上記第１の貫通孔毎に設けられ、上記弾性層は上記第１の貫通孔毎に設けられてもよい。【００２６】
これにより、個別に膨張、収縮が行われる弾性層が設けられた領域を複数設けることができ、より多様な触覚を提示することが可能となる。【００２７】
上記弾性層と上記基材との間に形成される上記第２の空間は、互いに流体が移動可能な複数の領域に分割されていてもよい。
これにより、第２の空間が複数の領域に分割されていない場合と比較して、異なった触覚を提示することができる。【００２８】
上記弾性層は部分的に厚みが異なってもよい。
これにより、厚みが一様な弾性層と比較して、弾性層の膨張の形状を異ならせることができる。【００２９】
上記弾性層は、その表面に突起を有していてもよい。
これにより、突起を備えない場合と比較して、異なった触覚を提示することができる。【００３０】
上記基材の上記弾性層によって覆われる領域の一部に突起が配置されていてもよい。
これにより、突起を備えない場合と比較して、異なった触覚を提示することができる。【００３１】
上記基材と上記弾性層との間に設けられた内包材を更に具備してもよい。
これにより、内包材を用いない場合と比較して、異なった感触を利用者に対して提示することができる。【００３２】
上記弾性層の、上記基材が配置される側とは反対側の面に設けられた外包材を更に具備してもよい。
これにより、外包材を用いない場合と比較して、異なった感触を利用者に対して提示することができる。【００３３】
上記弾性層は利用者によって把持される把持部に設けられてもよい。
これにより、利用者の手に多様な触覚を提示することができる。【００３４】
第３の空間を有する外装部を更に具備し、上記基材は、上記第３の空間内で、上記外装部の内壁面とともに上記第１の空間を形成してもよい。
このように、流体移送装置により変位する弾性層が内側に設けられる触覚提示装置としてもよい。第３の空間内に身体部位が挿入されることにより、弾性層と接する身体部位に対して弾性層の膨張と縮小による多様な触覚を提示することができる。
【発明の効果】
【００３５】
以上のように、本技術によれば、触覚提示装置の表面の変形を行うことにより、多様な触覚を提示することが可能となる。
【図面の簡単な説明】
【００３６】
【図１】実施形態に係るコントローラの外観図である。
【図２】第１の実施形態に係るコントローラの一部を構成する基材本体の概略図である。
【図３】第１の実施形態のコントローラの断面図及び部分上面図である。
【図４】第１の実施形態のコントローラに備えられる表面変形装置の一部を構成する弾性層と両面粘着シートの分解斜視図である。
【図５】第１の実施形態のコントローラの断面図であり、基材本体と弾性層との間に空気が注入されている状態を示す。
【図６】第１の実施形態のコントローラの部分上面図及び部分側面図を示し、基材本体と弾性層との間に空気が注入されている様子を示す。
【図７】第１の実施形態に係る表面変形装置の一部を構成する空気ポンプの部分模式図である。
【図８】コントローラの一部を構成する制御装置の機能構成例を示すブロック図である。
【図９】表面変形装置を備えたコントローラによる触覚提示の例を示す。
【図１０】表面変形装置を備えたコントローラによる触覚提示の他の例を示す。
【図１１】表面変形装置を備えたコントローラによる触覚提示の更に他の例を示す。
【図１２】表面変形装置を備えたコントローラによる触覚提示の更に他の例を示す。
【図１３】表面変形装置を備えたコントローラによる触覚提示の更に他の例を示す。
【図１４】表面変形装置を備えたコントローラによる触覚提示の更に他の例を示す。
【図１５】第２の実施形態のコントローラの他の形状例を示す。
【図１６】コントローラの更に他の形状例を示す。
【図１７】コントローラの更に他の形状例を示す。
【図１８】コントローラの更に他の形状例を示す。
【図１９】第３の実施形態に係るコントローラの部分上面図及び部分側面図を示す。
【図２０】両面粘着シートの他の形状例を示す。
【図２１】第４の実施形態に係るコントローラの断面図及び部分上面図である。
【図２２】他の発泡シートの配置例を示す図である。
【図２３】第５の実施形態に係るコントローラの断面図及び部分上面図である。
【図２４】他の発泡シートの配置例を示す図である。
【図２５】更に他の発泡シートの配置例を示す図である。
【図２６】第６の実施形態における弾性層の表面形状例を示す弾性層の部分断面図及び部分上面図である。
【図２７】他の弾性層の表面形状例を示す。
【図２８】更に他の弾性層の表面形状例を示す。
【図２９】更に他の弾性層の表面形状例を示す。
【図３０】更に他の弾性層の表面形状例を示す。
【図３１】更に他の弾性層の表面形状例を示す。
【図３２】第７の実施形態の触覚提示装置の断面図である。
【図３３】第８の実施形態のグローブ状の触覚提示装置を説明する概念図である。
【図３４】図３３のグローブ状の触覚提示装置の指部分の内部構造を説明するための触覚提示装置の部分概略断面図である。
【図３５】指の腹に刺激を与える他の触覚提示装置の概略図である。
【図３６】表面変形装置を用いた指へ与える触覚を説明するための図である。
【図３７】第９の実施形態の触覚提示装置の断面図及び部分上面図である。
【図３８】第１０の実施形態における弾性層の他の平面形状を示す。
【図３９】弾性層と基材本体との間に形成される第２の空間を互いに移動可能な複数の膨張領域に分割した際の膨張領域と空気ポンプとの機能を説明する図である。
【発明を実施するための形態】
【００３７】
以下、本技術に係る実施形態を、図面を参照しながら説明する。
本実施形態の触覚提示装置は、流体移送装置を用い、流体の供給の有無によって表面が膨張及び縮小して変形する表面変形装置を備える。
【００３８】
触覚提示装置では、触覚提示部となる表面変形装置の変形箇所に利用者の身体部位が接するよう構成されることにより、利用者の身体部位に対して刺激を与えるものである。表面変形装置の数、配置、変形の度合い、変形のタイミングを制御することにより、利用者に対して、多様な疑似的な触覚を提示することができる。
【００３９】
例えば、触覚提示装置をゲームコントローラに適用することにより、ゲームのイベント内容に応じた体感を利用者に与えることができる。また、利用者に触覚を提示することにより、利用者の注意喚起を促したり、利用者への指示を行うこともできる。
【００４０】
（第１実施形態）
本実施形態においては、触覚提示装置をゲーム機のコントローラに適用した例を用いて説明する。本実施形態では、ゲーム内の様々なイベント発生時に、多様な触覚を利用者に対して提供することが可能となる。
【００４１】
［コントローラ構成］
図１は触覚提示装置としてのコントローラ１の外観図、図２は図１のコントローラの一部を構成する基材としての基材本体の概略図である。コントローラ１は、利用者により把持可能に構成される。
【００４２】
図３（Ａ）は外形が略円柱状のコントローラ１の表面変形装置６０の変形部分が配置される領域を、基材本体の長手方向と直交する面で切断したときの断面図である。図３（Ａ）は、基材本体２と弾性層３０との間に空気が注入される前の状態を示す。図３（Ｂ）は、コントローラ１の部分上面図である。
【００４３】
図４は、表面変形装置の一部を構成する弾性層と両面粘着シートの分解斜視図である。図５は、コントローラ１の表面変形装置６０の変形部分が配置される領域を、基材本体の長手方向と直交する面で切断したときの断面図である。図５は、基材本体２と弾性層３０との間に空気が注入されている状態を示す。
【００４４】
図６（Ａ）は弾性層３０が膨らむ様子を示すコントローラ１の部分上面図である。図６（Ｂ）は弾性層３０が膨らむ様子を示すコントローラ１の部分側面図である。
【００４５】
図７は空気ポンプ１１のノズル部分の模式図である。図８は、コントローラ１の一部を構成する制御装置の機能構成例を示すブロック図である。
【００４６】
コントローラ１の利用者が把持する領域には、空気圧により表面が盛り上がる表面変形装置６０の変形部分である弾性層３０が設けられる。この表面変形装置６０の把持部の領域の表面が盛り上がって変形することにより、利用者の手のひらや指腹に圧迫感を与える。
【００４７】
弾性層３０は、利用者の身体部位に接触可能に構成される。本実施形態では、弾性層３０は、利用者の手のひらや指腹に接触可能に構成される。ここで、接触可能というのは、弾性層３０と身体部位が直接接する場合の他、例えば後述する外装材を介して弾性層３０と身体部位が間接的に接する場合も含む。
【００４８】
弾性層３０と身体部位との間に何かが介在していたとしても、弾性層３０の変位を利用者が身体部位で実感できるのであれば、弾性層３０は、利用者の身体部位に接触可能に構成されるとする。
【００４９】
表面変形装置６０の弾性層３０の変形は、流体としての空気の供給の有無により制御される。空気供給量、空気供給量の経時変化、供給のタイミングが制御されることにより、利用者に対して様々な触覚を提示することができる。触覚とは、皮膚や粘膜の表面で起こる感覚（接触覚）や皮膚面に変形やひずみが加えられたときに生じる感覚（圧覚）である。
【００５０】
図１に示すように、コントローラ１は、例えばゲーム機のコントローラであり、基材本体２を手で把持可能に構成される。図２に示すように、コントローラ１は、基材本体２と、表面変形装置６０と、後述する図８の制御装置９０を具備する。基材本体２は外形が略円柱状を有する。制御装置９０は、コントローラ１の内部に配置される。
【００５１】
図２に示すように、基材本体２の表面には表面変形装置６０が設けられている。図３に示すように、表面変形装置６０は、基材としての基材本体２と、弾性層３０と、流体としての空気を供給可能な流体移送装置としての空気ポンプ１１と、両面粘着シート３１を備える。
【００５２】
本実施形態においては、表面変形装置６０を１つのコントローラに１つ設ける例を挙げて説明するが、表面変形装置６０の数はこれに限定されない。
【００５３】
基材本体２は略円筒形状であり、その外形は直径約３４ｍｍの略円柱状を有し、内部に第１の空間７０を有する。基材本体２は、プラスティックや金属材料、或いは所定の厚みを有したゴム材料等のある程度の硬度のある材質からなり、空気ポンプ１１の駆動による後述する第２の空間７１への空気注入による第２の空間７１内の内圧上昇で変形しにくい材質から構成される。
【００５４】
基材本体２は、その側面に第１の貫通孔としての注入口２２と第２の貫通孔としての排気口２１とを有する。注入口２２には、空気ポンプ１１のノズル１１１が接続される。
【００５５】
弾性層３０は、伸展性に優れ、空気不透過の密閉性のある材質からなる。弾性層３０は、利用者がコントローラを把持した時に利用者の身体部位が接触可能に構成される。弾性層３０は、注入口２２及び排気口２１を覆うように、基材本体２の表面上に配置される。
【００５６】
弾性層３０としては、例えば２５μｍの厚さのエラストマーゴムを用いることができる。弾性層３０は、基材本体２に貼り付けられる前の平面形状が、２０ｍｍ×８０ｍｍの長手方向を有する矩形である。本実施形態で示す形状寸法は一例であり、矩形寸法は商品サイズや形状に適宜合わせる事は可能である。
【００５７】
図３及び図４に示すように、弾性層３０はその外周部に沿って設けられた枠状に打ち抜き加工された両面粘着シート３１を介して基材本体２の表面に貼り付けられる。両面粘着シート３１により、弾性層３０と基材本体２とは固着される。
【００５８】
両面粘着シート３１により囲まれる領域であって弾性層３０と基材本体２との間に形成される第２の空間７１内には、空気ポンプ１１の稼動により、注入口２２を介して空気が注入可能となっている。空気注入による第２の空間７１内の内圧の上昇によって空気がコントローラ１の外部へ漏れださないように、両面粘着シート３１により弾性層３０は密閉される。
【００５９】
空気ポンプ１１は、注入口２２を介して、弾性層３０と基材本体２との間に空気を注入するものである。図５に示すように、第２の空間７１内に空気ポンプ１１の稼動により空気が供給されて、弾性層３０は膨張し、第２の空間７１内の体積は増加する。第２の空間７１の内圧は第１の空間７０の内圧よりも高くなる。
【００６０】
弾性層３０は、弾性層３０と基材本体２との間に形成される第２の空間７１に供給される空気によって想定される弾性層３０の膨張による伸び率の範囲で可逆性である弾性を備える材質であることが望ましい。また、第２の空間７１内への空気の供給により弾性層３０が速やかに膨張し、空気の供給の停止により速やかに縮小するよう弾性層３０の材質及び厚みは選定される。
【００６１】
本実施形態では、注入口２２は弾性層３０の略中央部、すなわち両面粘着シート３１により囲まれた領域の略中央部に対応するよう配置される。排気口２１は弾性層３０の周縁部に近い位置、すなわち両面粘着シート３１により囲まれた領域の端に配置される。
【００６２】
注入口２２は例えば直径１ｍｍの円形状を有する。排気口２１は例えば直径０．１ｍｍ程度か或いはそれ以下の円形の平面形状を有する。尚、図面において、注入口２２、排気口２１、空気ポンプ１１、ノズル１１１等の各構成の大きさは便宜的に縮尺を異ならせている。
【００６３】
尚、注入口２２の位置は、両面粘着シート３１により囲まれた領域の略中央部に対応する位置に限定されず、注入口２２を任意の位置に配置することができる。しかしながら、空気が等方的に流れることを考慮し、第２の空間７１への空気の行きわたり方を面内でほぼ均一とするために、両面粘着シート３１により囲まれた領域の略中央部に対応するよう注入口２２を配置することが望ましい。
【００６４】
或いは、あえて、注入口２２を、両面粘着シート３１により囲まれた領域の中央部からはずれた位置に設けてもよい。これにより第２の空間７１への空気の行きわたり方を、注入口２２を中央部に設けた場合と異ならせ、異なる触覚を利用者に提示することができる。
【００６５】
また、注入口２２の数を１つとしたが、複数でもよい。注入口２２が複数の場合、１つの空気ポンプ１１に対し複数の注入口２２が対応するように設けてもよいし、注入口２２毎に空気ポンプ１１を設けてもよい。
【００６６】
空気ポンプ１１の稼動による空気注入中にも、第２の空間７１内の空気が排気口２１を介して第１の空間７０へ排気される。空気ポンプ１１からの空気（流体）の供給量（流体流量）が最小の場合においても、第２の空間７１の内圧が第１の空間７０の内圧よりも高くなる状態を維持した排気量となるよう排気口２１の口径は設定される。
【００６７】
排気口２１の配置位置は任意に設定可能である。排気口の配置位置により、弾性層３０の縮小によって利用者に与える触覚を異なったものにすることができる。また、排気口２１の数も１つに限定されず複数設けても良い。複数設ける場合は、面内で均等に弾性層３０が縮小されるように排気口２１の配置位置を調整してもよい。
【００６８】
弾性層３０によって覆われる基材本体２の領域は、利用者の身体部位に対して凸状の面を有する。本実施形態においては、凸曲面を有する。このように弾性層３０が配置される領域が凸状の面となっているので、平面上に弾性層を設け空気を注入して膨張させる場合と比較して、少ない空気量で弾性層３０を変位させることができる。
【００６９】
更に、本実施形態においては、第２の空間７１の一部を形成する基材本体２は、空気注入による第２の空間７１の内圧上昇により変形しにくい材質から形成される。これにより、第２の空間７１内へ注入する空気流量（流体流量）が少なくとも、基材本体２から弾性層３０が持ち上がるように、弾性層３０を変位させることができる。
【００７０】
このように、少ない空気流量で弾性層３０を変位させることができるので、表面変形装置の変形状態を短時間で切り替えることができ、利用者へ提示可能な触覚を多様なものとすることができる。
【００７１】
平面矩形状の弾性層３０は、その長手方向（長辺と平行な方向）が、略円柱状の基材本体２の凸曲面の曲面方向と一致するように配置される。
【００７２】
このように、弾性層３０の長手方向と基材本体２の曲面方向とが一致するように配置することにより、弾性層３０の短手方向と曲面方向とが一致するように配置するよりも、第２の空間７１内への空気の注入及び第２の空間の空気の排気が速やかに行われる。
【００７３】
図３（Ｂ）に示すように、注入口２２と排気口２１は、両面粘着シート３１により区画形成された領域内に位置するよう配置される。弾性層３０は、注入口２２と排気口２１を覆うように、基材本体２の表面に配置される。
【００７４】
空気ポンプ１１には、例えばマイクロブロア（商品名、村田製作所）を用いることができる。図３に示すように、空気ポンプ１１はノズル１１１を備え、ノズル１１１は注入口２２に接続される。図７に示すように、ノズル１１１には排気弁１１２が設けられている。
【００７５】
排気弁１１２は、空気ポンプ１１のノズル１１１の側壁に設けられた孔１１３を開閉可能とするものである。排気弁１１２は板状を有し、一端がノズル１１１に固定され、他端は折れ曲がっている。排気弁１１２は、一方向の流れの流体に対してのみ排気弁１１２が動いて、孔１１３が開くように構成される。
【００７６】
空気ポンプ１１が稼動し、空気ポンプ１１から弾性層３０と基材本体２との間の第２の空間７１となる領域へ空気が注入されるときは、空気の流れにより排気弁１１２は閉じている。一方、空気ポンプ１１の稼動が停止すると、第２の空間７１内の空気は弾性層３０の元の形状に戻ろうとする弾性力により第２の空間７１の外部へ押し出される。
【００７７】
第２の空間７１内の空気のうち、空気ポンプ１１に向かって押し出される空気は、空気注入時の空気の流れと反転した流れとなる。第２の空間７１から押し出される空気は、排気弁１１２の他端に衝突することにより、排気弁１１２が迅速に動いて孔１１３が開く。排気弁１１２が開くことにより、第２の空間７１から空気ポンプ１１に向かって流れる空気は、孔１１３から第１の空間７０へ排気される。
【００７８】
また、第２の空間７１内の空気のうち、空気ポンプ１１に向かって押し出される空気以外の空気は、排気口２１を介して第１の空間７０へ排気される。なお、空気ポンプ１１は排気弁１１２及び孔１１３を備えていなくてもよい。この場合、第２の空間７１内の空気は、排気口２１のみを介して外部へ排出される。
【００７９】
弾性層３０と基材本体２との間の第２の空間７１の内圧は、空気ポンプ１１から送られてくる空気が第２の空間７１へ注入されることにより、第１の空間７０の内圧よりも高くなる。図６及び図７に示すように、空気の注入により弾性層３０は外部方向に広がるように膨張する。
【００８０】
図３に示すように、空気ポンプ１１から空気が注入される前の第２の空間７１の体積は、ほぼ０の状態である。すなわち、利用者の接触部位である手の皮膚と基材本体２とは弾性層３０を介してほぼ密着した状態となっている。
【００８１】
空気ポンプ１１が稼動し、第２の空間７１内に空気が注入されると図５に示すように弾性層３０は膨らむ。空気ポンプ１１の稼動前、第２の空間７１の体積はほぼ０であるため、空気注入により、少ない空気流量で迅速に第２の空間７１内の内圧を上昇させることができ、弾性層３０を短時間で膨張させることができる。
【００８２】
空気ポンプ１１の稼動が停止すると、第２の空間７１に注入された空気は、弾性層３０の元の形状に戻ろうとする弾性力により、排気口２１及び空気ポンプ１１を介して第１の空間７０へと排気される。
【００８３】
これにより、第２の空間７１は縮小していき、図３に示すように、体積は再びほぼ０の状態に戻る。このように、排気口２１及び空気ポンプ１１の２か所から空気が排気されることにより、排気を速やかに行うことができ、弾性層３０の縮小を短時間で行うことができる。このように排気弁１１２及び排気口２１を設けることにより、排気効率が向上する。
【００８４】
第２の空間７１に空気が注入されることにより、利用者は、弾性層３０と接する身体部位で弾性層３０の膨張により圧迫感を受ける。これにより、例えば、弾性層３０の膨張の方向とは反対の方向に何かを押し込むような触覚を利用者に提示できる。
【００８５】
このように、本実施形態では、弾性層３０の膨張、縮小をそれぞれ短時間で行え、表面変形装置の変形状態を短時間で切り替えることができ、多様な触覚の提示が可能となる。
【００８６】
図８に示すように、制御装置９０は、通信部９１と、情報取得部９２と、駆動制御部９３とを具備する。
【００８７】
情報取得部９２は、コントローラ１の位置情報及び利用者の操作情報を取得する。
通信部９１は、外部の情報処理装置５１０等と有線又は無線で通信し、情報処理装置５１０との間で信号の送受信を行う。
【００８８】
駆動制御部９３は、情報処理装置５１０から受信した空気ポンプの制御信号を基に空気ポンプ１１の駆動を制御する。
情報処理装置５１０は、ゲームのアプリケーションプログラムを実行する。情報処理装置５１０は、通信部５１１と、制御部５１２とを有する。
【００８９】
通信部５１１は、コントローラ１の制御装置９０等と有線又は無線で通信し、制御装置９０との間で信号の送受信を行う。
制御部５１２は、画面制御部５１２１と、音制御部５１２２と、ポンプ制御部５１２３とを有する。
【００９０】
画面制御部５１２１は、制御装置９０から受信した位置情報及び操作情報を基に、ディスプレイ５１１に映し出す画像の画像信号を生成する。生成された画像信号はディスプレイ５１１に送信され、ディスプレイ５２０では画像信号に基づいて画像が表示される。
【００９１】
音制御部５１２２は、制御装置９０から受信した位置情報及び操作情報を基に、ディスプレイ５２０から出力される音声の音声信号を生成する。生成された音声信号はディスプレイ５２０に送信され、ディスプレイ５２０では音声信号に基づいて音声が出力される。
【００９２】
ポンプ制御部５１２３は、制御装置９０から受信した位置情報及び操作情報を基に、コントローラ１の表面変形装置６０の空気ポンプ１１を稼動するための制御信号を生成する。ポンプ制御部５１２３により生成された制御信号は制御装置９０に送信される。
【００９３】
駆動制御部９３は、受信した空気ポンプ１１の制御信号を基に、空気ポンプ１１のポンプ出力（空気供給量）、ポンプ通電時間（空気供給時間）、ポンプ稼動間隔（空気ポンプの稼動のオン、オフのタイミング）を制御する。
【００９４】
［触覚提示の例］
次に、表面変形装置６０を備えたコントローラによる触覚提示の例を図９〜図１４を用いて説明する。上述の表面変形装置６０では、平面形状が矩形の弾性層３０を例に挙げて説明したが、ここでは平面形状が楕円形の弾性層３０を例にあげて説明する。
【００９５】
図９は、表面変形装置として２つの第１の表面変形装置６１と第２の表面変形装置６２を備えたコントローラ１０１の概略図である。
【００９６】
図１０〜図１４は、このコントローラ１０１を用いて、利用者に対して提示する触覚の例を説明するための図である。各図（Ａ）はコントローラの動きを模式的に示す。各図（Ｂ）は、各図（Ａ）の動きを発生させるための表面変形装置の変形を説明する図である。
【００９７】
図９に示すように、コントローラ１０１は、利用者がコントローラ１０１を握った際に、母指球、指腹それぞれに第１の表面変形装置６１と第２の表面変形装置６２が位置するように設けられる。２つの表面変形装置６１及び６２は、略円柱状の基材本体２を介して対向して配置される。
【００９８】
第１の表面変形装置６１と第２の表面変形装置６２は独立して駆動可能に構成される。第１の表面変形装置６１及び第２の表面変形装置６２の構造は、弾性層３０の平面形状が異なるのみで、それ以外は上述の表面変形装置６０と同様である。この場合、基材本体に２つの注入口２２が設けられ、空気ポンプ１１は注入口２２毎に設けられ、弾性層３０は注入口２２毎に設けられる。
【００９９】
表面変形装置を稼動することにより、基材本体と弾性層との間の第２の空間に空気が注入され第２の空間内の内圧が第１の空間よりも高まる。この内圧の上昇により、弾性層が膨らみ、利用者の接触部位に対して圧迫感を与える。
【０１００】
図１０に示すように、連続的に第１の表面変形装置６１及び第２の表面変形装置６２を交互に稼動し、第１の表面変形装置６１及び第２の表面変形装置６２それぞれで膨張と縮小を繰り返させる。そして、第１の表面変形装置６１と第２の表面変形装置６２それぞれの膨張時間の長さを同じとすることにより、利用者に対して基材本体２が把持部分を支点に揺れる触覚を利用者に与える。
【０１０１】
図１１に示すように、第２の表面変形装置６２を第１の長さの時間膨らませ、その後、第２の表面変形装置６２を縮小させるとともに第１の表面変形装置６１を第１の長さの時間よりも短い第２の長さの時間、膨らませることにより、基材本体２に物が当たる触覚を利用者に与える。
【０１０２】
図１２に示すように、第１の表面変形装置６１のみを膨らませることにより、基材本体２の表面変形装置が設けられていない領域である上半分が下方向（第１の表面変形装置６１が膨らむ方向とは反対の方向）に移動し、何かを押し込んだときの反力の触覚を利用者に与える。
【０１０３】
図１３に示すように、第１の表面変形装置６１と第２の表面変形装置６１を同じタイミングで稼動し、膨張と縮小を連続して繰り返させることにより、鼓動の感覚を利用者に与える。
【０１０４】
図１４は、更に第３の表面変形装置６３を１つ追加した場合の動きの例である。第３の表面変形装置６３は、第１の表面変形装置６１と第２の表面変形装置６２との間に設けられ、利用者がコントローラ１を把持したときに、手掌にほぼ位置するように設けられる。
【０１０５】
第２の表面変形装置６２、第３の表面変形装置６３、第１の表面変形装置６１を順次膨らませるのを繰り返すことにより、何かが動き回る触覚を利用者に与える。
【０１０６】
この場合、例えば空気供給量（流体流量）を調整し膨張の割合を小さくすることにより、手の表面に何かが這う触覚を利用者に与える。一方、空気供給量を調整し膨張の割合を大きくすることにより、膨張の割合が小さい場合と比較して、皮膚に食い込んで何かが動き回るような触覚を利用者に与える。
【０１０７】
このように、表面変形装置の駆動のタイミングが同じであっても、変形量（空気の供給量）によって、異なった触覚を利用者に与える。
【０１０８】
以上のように、空気ポンプ１１を用いた弾性層３０の膨張及び縮小という可逆的変形を利用して、利用者に対して疑似的な触覚を提供できる。表面変形装置６０の空気ポンプ１１の稼動のオン、オフのタイミング、空気供給量の調整、空気供給時間、表面変形装置６０の数を適宜変更することにより、様々な触覚を利用者に提示することが可能である。
【０１０９】
尚、本実施形態においては、流体移送装置としてマイクロブロアを例にあげたが、これに限定されない。第２の空間７１の内圧上昇を誘発させるための流体移送装置として、電磁誘導型アクチュエータによるポンプや圧電振動子を用いたダイヤフラム型ポンプなどを用いても良い。また、流体は空気に限らず、例えばヘリウム等の気体、水、オイルなどの液体でもよい。
【０１１０】
また、ここでは、空気ポンプは基材本体２内に配置される例をあげたが、基材本体２の外部に設けられるようにしてもよい。この場合、空気ポンプのノズルと基材本体の注入口とを配管によって接続すればよい。
【０１１１】
（第２の実施形態）
第１の実施形態では、コントローラの外形を略円柱形としたが、これに限定されない。例えば、ゲームの内容に応じた形状であって、利用者が把持しやすい形状であってもよい。
【０１１２】
図１５〜図１８は、コントローラの形状の他の例である。図１５に示すように楕円柱状のコントローラ１００１であってもよいし、図１６に示すように球を二つの平行な平面で切った球台形状のコントローラ１１０１であってもよい。図１７に示すように略五角柱形状のコントローラ１２０１であってもよい。また、ペン形状の触覚提示装置であってもよい。
【０１１３】
また、図１８に示すように円柱の側面の一部に平面１３０４を有し、この平面１３０４上に局部的に突起１３０２があるような形状のコントローラ１３０１としてもよい。突起１３０２を設ける場合、この突起を覆うように表面変形装置の弾性層が設けられる。また、突起の代わりに凹部を設けても良い。
【０１１４】
このように、外表面が利用者の身体部位が接する把持部となるコントローラの形状を、想定されるコントローラの操作性を考慮して様々なものとすることができる。
【０１１５】
（第３の実施形態）
上述の実施形態において、弾性層３０と基材本体２との間に形成される第２の空間７１は障壁のない空間であったが、例えば、第２の空間７１が、互いに流体である空気が移動可能な複数の領域に分割されていてもよい。
【０１１６】
以下、図１９を用いて説明する。本実施形態においては、第１の実施形態と比較して、表面変形装置の両面粘着シートの形状が異なるのみで他の構成は同じであり、同様の構成については同様の符号を付し、主に異なる構成について説明する。
【０１１７】
図１９（Ａ）は本実施形態におけるコントローラ３０１の部分上面図である。図１９（Ｂ）は弾性層３０が膨らむ様子を示す基材本体２の部分側面図である。
【０１１８】
図１９（Ａ）に示すように、表面変形装置３６０は、両面粘着シート３１１を有する。両面粘着シート３１１は、枠状の両面粘着シート３１と、棒状の両面粘着シート３５を有する。両面粘着シート３１１により、弾性層３０と基材本体２とは固着される。
【０１１９】
棒状の両面粘着シート３５の長手方向は矩形の枠状の両面粘着シート３１の長辺と平行に位置する。棒状の両面粘着シート３５の一端は枠状の両面粘着シート３１と接続し、他端は枠状の両面粘着シート３１と離間している。
【０１２０】
棒状の両面粘着シート３５の存在により、弾性層３０と基材本体２との間に形成される第２の空間１７１は、互いに空気が移動可能な２つの第１の膨張領域１７１ａ及び第２の膨張領域１７１ｂに分割される。
【０１２１】
図３９は、第１の膨張領域１７１ａと第２の膨張領域１７１ｂと空気ポンプ１１の機能を説明する模式図である。
【０１２２】
本実施形態においては、第１の膨張領域１７１ａと第２の膨張領域１７１ｂには同一の空気ポンプ１１を介して空気が供給される。棒状の両面粘着シート３５は、第１の膨張領域１７１ａと第２の膨張領域１７１ｂとを部分的に分離する隔壁となる。空気ポンプ１１の稼動により、まず注入口２２が位置する第２の膨張領域１７１ｂが先に膨らむ。
【０１２３】
その後、第１の膨張領域１７１ａと第２の膨張領域１７１ｂとが空間的に接続する部分を通って、第１の膨張領域１７１ａに空気が注入され、第１の膨張領域１７１ａが膨らむ。
【０１２４】
図１９（Ｂ）に示すように、空気ポンプ１１から第２の空間７１へ空気が供給されると、第１の膨張領域１７１ａと第２の膨張領域１７１ｂそれぞれに空気が注入され、２つの山状に弾性層３０が膨らむ。
【０１２５】
このように、本実施形態では、第２の膨張領域１７１ｂ、第１の膨張領域１７１ａという順に段階的に弾性層３０が変形していくので、利用者に対し、例えば何かが手の中で動くような触覚を与えることができる。
【０１２６】
ここでは、棒状の両面粘着シート３５を設けたが、形状はこれに限定されない。例えば、図２０（Ａ）〜（Ｃ）に示すように、様々な形状とすることができ、枠状の両面粘着シート３１に加えて他の形状の両面粘着シートを設けることにより、弾性層３０の膨らみの形状を変化させることができる。
【０１２７】
図２０（Ａ）は、枠状の両面粘着シート３１と、注入口２２と排気口２１との間に設けられた一部が欠けた円形の枠状の両面粘着シート３６とからなる両面粘着シート３１２を設けた例である。この場合においても、第２の空間は、互いに空気が移動可能な２つの膨張領域に分割される。
【０１２８】
図２０（Ａ）に示す両面粘着シート３１２の形状では、空気の注入により、矩形状の弾性層の一部が略輪状に窪んだ形状となる。
【０１２９】
図２０（Ｂ）は、枠状の両面粘着シート３１と、２本の棒状の両面粘着シート３７とからなる両面粘着シート３１３を設けた例である。２本の棒状の両面粘着シート３７は、それぞれ長手方向が矩形の枠状の両面粘着シート３１の短辺と平行に設けられ、枠状の両面粘着シート３１の長辺を略３等分する位置に配置される。
【０１３０】
２本の棒状の両面粘着シート３７の長さは枠状の両面粘着シート３１の短辺の半分の長さとなっている。この場合、第２の空間は、一部が３つの膨張領域に分割される。
【０１３１】
図２０（Ｃ）は、矩形の枠状の両面粘着シート３１と、枠状の両面粘着シート３１の対角線上に配置された注入口２２を挟んで対向する２本の棒状の両面粘着シート３８とからなる両面粘着シート３１４を設けた例である。
【０１３２】
この場合も、第２の空間は、互いに空気が移動可能な２つの膨張領域に分割されるが、２つの膨張領域の境界線の中央に注入口２２が配置されるので、２つの膨張領域は同時に膨張する。２つの膨張領域の膨張により、平面形状が三角形の凸部が２つ形成される。
【０１３３】
以上のように、弾性層と基材本体との間に形成される第２の空間が互いに流体である空気が移動可能な複数の領域に分割されるように両面粘着シートを設けることにより、１つの空気ポンプで多様な触覚を提示できる。また、両面粘着シートの形状及び配置位置、注入口及び排気口の配置位置を異ならせることにより、多様な触覚を提示できる。
【０１３４】
（第４の実施形態）
上述の各実施形態において、弾性層と基材本体との間に内包材が更に設けられてもよい。内包材には、例えば薄手の発泡シートを用いることができる。発泡シートを用いることにより、コントローラを把持した時の触感を変化させることができる。発泡シートは触感を付与する触感付与層として機能する。
【０１３５】
本実施形態においては、上述の実施形態と比較して、発泡シートの有無が異なるのみで他の構成は同じであり、同様の構成については同様の符号を付し、主に異なる構成について説明する。
【０１３６】
図２１（Ａ）は、本実施形態における触覚提示装置としてのコントローラ４０１の表面変形装置４６０が設けられている領域を、触覚提示装置４０１の長手方向と直交する面で切断したときの断面図である。図２１（Ｂ）は、コントローラ４０１の部分上面図である。
【０１３７】
コントローラ４０１は、表面変形装置４６０を備える。上述の各実施形態と同様に、利用者がコントローラ４０１を把持した際、利用者の身体部位、ここでは手が接する領域に表面変形装置４６０が配置される。
【０１３８】
表面変形装置４６０は、基材としての基材本体２と、弾性層３０と、流体としての空気を供給可能な流体移送装置としての空気ポンプ１１と、内包材としての発泡シート４０を備える。
【０１３９】
発泡シート４０は、枠状の両面粘着シート３１の内周部よりも一回り小さい略矩形の平面形状を有し、枠状の両面粘着シート３１内に配置される。発泡シート４０は、弾性層３０と基材本体２との間に配置され、基材本体２に貼りつけられている。
【０１４０】
発泡シート４０は、注入口２２及び排気口２１に対応する領域に貫通孔を備え、空気の注入及び排気を妨げない形状となっている。
【０１４１】
発泡シート４０としては例えば多孔性のポリウレタンやＰＯＲＯＮ（登録商標）等を用いることができる。発泡シート４０を用いることにより、コントローラ４６０にクッション性を持たせることができる。これにより、利用者が把持した際、基材本体２の硬さが緩和された柔らかい触感を利用者に付与することができる。
【０１４２】
ここでは、発泡シート４０の平面形状を略矩形状としたが、形状、大きさ、数、配置場所はこれに限定されない。例えば図２２に示すように、枠状の両面粘着シート３１内に、４つの発泡シート４１が配置されるようにしてもよく、提示したい触覚に応じて任意に配置することができる。
【０１４３】
また、本実施形態においては、発泡シート４０が基材本体２に固着された例をあげたが基材本体２に固着せず、単に基材本体２と弾性層３０との間に挿入した構成としてもよい。
【０１４４】
（第５の実施形態）
第４の実施形態においては、弾性層３０と基材本体２との間に内包材として発泡シート４０を設けた構成としたが、発泡シートを弾性層３０の基材本体２が配置される側とは反対側の面、言い換えると、利用者の身体部位が接触する側の面に発泡シートを設けてもよい。
【０１４５】
図２３（Ａ）は、本実施形態における触覚提示装置としてのコントローラ５０１の表面変形装置５０６が設けられている領域を、コントローラ５０１の長手方向と直交する面で切断したときの断面図である。図２３（Ｂ）は、コントローラ５０１の部分上面図である。
【０１４６】
コントローラ５０１は、表面変形装置５６０を備える。上述の各実施形態と同様に、利用者がコントローラ５０１を把持した際、利用者の身体部位、ここでは手が接する領域に表面変形装置５６０が配置される。
【０１４７】
表面変形装置５６０は、基材としての基材本体２と、弾性層３０と、流体としての空気を供給可能な流体移送装置としての空気ポンプ１１と、外包材としての発泡シート５０を備える。
【０１４８】
発泡シート５０は、枠状の両面粘着シート３１の内周部よりも一回り小さい略矩形状を有し、枠状の両面粘着シート３１により囲まれる領域内に位置するよう配置される。発泡シート５０は、弾性層３０の表面、すなわち、弾性層３０の基材本体２と接する面と反対側の面に貼りつけられる。弾性層３０と基材本体２との間に形成される第２の空間に空気が供給されると、弾性層３０の膨張に発泡シート５０も追従して形状が変化する。
【０１４９】
発泡シート５０としては例えば多孔性のポリウレタンやＰＯＲＯＮ（登録商標）等を用いることができる。発泡シート５０を用いることにより、表面変形装置５６０にクッション性を持たせることができる。
【０１５０】
これにより、利用者が把持した際、基材本体２の硬さが緩和された柔らかい触感を利用者に付与することができる。発泡シートは触感を付与する触感付与層として機能する。
【０１５１】
また、本実施形態においては、触感付与層として発泡シートを用いる例をあげたが、接触冷感や接触温感を利用者に与えるような材料を用いてもよい。これにより、利用者が把持した際に、冷感や温感といった触感を利用者に対して与えることができる。また、これら冷感や温感を与える材料と、ふわふわした触感を与える発泡シートを組み合わせた構成とすることもできる。
【０１５２】
ここでは、発泡シート５０の形状を枠状の両面粘着シート３１の内周部よりも一回り小さい略矩形状としたが、形状、大きさ、数、配置場所はこれに限定されない。
【０１５３】
例えば、図２４に示すように、枠状の両面粘着シート３１により区画される領域の半分以下の面積を有する略矩形状の発泡シート５１を中心よりも端に配置してもよい。また、図２５に示すように、弾性層３０全体を覆うように発泡シート５２を設けてもよい。
【０１５４】
（第６の実施形態）
上述の各実施形態では、弾性層３０の表面が凹凸のない滑らかな面である例をあげて説明したが、弾性層の表面に任意の形状の突起が形成されていても良い。突起は例えばエンボス加工により形成することができる。
【０１５５】
弾性層の表面に突起が設けられることにより、弾性層の膨張時、突起形状の膨張による変化が新たに加わり、突起が設けられていない場合と異なる皮膚刺激触覚を利用者に対し付与することができる。
【０１５６】
図２６〜図３０は、弾性層表面に形成される突起形状の幾つかの例である。各図（Ａ）は、コントローラの概略断面図であり、両面粘着シート、空気ポンプ、排気口、注入口の図示は省略している。各図（Ｂ）は、突起の平面形状を説明するための弾性層の概略上面図である。
【０１５７】
図２６に示すように、弾性層６０３０の表面には、細長い略楕円の平面形状の突起６０３０ａ及び６０３０ｂが互いに平行に合計８つ設けられている。突起６０３０ａ及び６０３０ｂの長手方向は、平面外形が矩形状の弾性層６０３０の短手方向と平行である。
【０１５８】
各突起６０３０ａ及び６０３０ｂの長手方向の長さはいずれも同じ長さとなっている。８つの突起のうち真ん中の２つの突起６０３０ａは、他の６つの突起６０３０ｂよりも高さが高くなっている。このように高さが高い２つの突起６０３０ａが配置される領域は他の６つの突起６０３０ｂが配置される領域よりも、より強い圧迫感を利用者に与える。
【０１５９】
図２７に示すように、表面変形装置が設けられる領域の弾性層６０３１の表面には、長軸の長さが異なる細長い略楕円の平面形状の突起６０３１ａ、６０３１ｂ、６０３１ｃが互いに平行に合計８つ設けられている。突起６０３１ａ、６０３１ｂ、６０３１ｃの長手方向は、平面外形が矩形状の弾性層６０３１の短手方向と平行である。
【０１６０】
各突起６０３１ａ、６０３１ｂ、６０３１ｃは、いずれも高さが同じ高さとなっており、長軸の長さが異なっている。突起６０３１ａの長軸が一番長く、次に突起６０３１ｂの長軸が長く、突起６０３１ｃの長軸が最も短くなっている。このように長軸の長さが異なる突起を設けることにより、利用者に与える圧迫感の領域を調整することができる。
【０１６１】
図２８に示すように、弾性層６０３２の表面には、平面形状が楕円の突起６０３２ａが島状に複数設けられていてもよい。突起６０３２ａの平面形状の楕円の長軸は、平面外形が矩形状の弾性層６０３２の短手方向と平行である。
【０１６２】
図２９に示すように、弾性層６０３３の表面に、平面が矩形状の突部６０３３ａが１つ設けられていてもよい。突部６０３３ａは、矩形状の弾性層６０３３の外形よりもやや小さい平面形状を有する。弾性層６０３３は、部分的に厚みが異なっている。
【０１６３】
このように突部６０３３ａが設けられることにより、表面変形装置が設けられる領域を底上げすることができ、突部がない形状と比較して、利用者に対してより強い圧迫感を与えることができる。
【０１６４】
図３０に示すように、弾性層６０３４の表面に、平面形状が円形の突起６０３４ａが複数、ここでは４つ設けられていてもよい。４つの円形の突起６０３４ａは、平面外形が矩形状の弾性層６０３４の長手方向と平行する方向に沿って設けられる。
【０１６５】
上述の各実施形態において、弾性層が設けられる領域の基材本体２の表面は凹凸のない滑らかな曲面であったが、図３１に示すように、突起６００２ａを有する基材６００２の表面に沿うように弾性層６０３５を設けることによって、弾性層６０３５に突起６０３５ａを設けてもよい。
【０１６６】
（第７の実施形態）
上述の各実施形態においては、触覚提示装置の把持部に表面変形装置を設けたが、これに限定されない。例えば、利用者の身体部位を収容可能な第３の空間を備えた外装部を備えた触覚提示装置の外装部の内壁面に表面変形装置を設けても良い。
【０１６７】
このような構成では、利用者が外装部の第３の空間に身体部位を挿入し、表面変形装置の空気ポンプを駆動することにより、挿入した身体部位に対して圧迫感を与えることができる。
【０１６８】
図３２は、本実施形態における触覚提示装置７０１の断面図である。触覚呈示装置７０１は、外装部７１２と、３つの表面変形装置７６０とを備える。外装部７１２は、身体部位が挿入可能な第３の空間７７２を有する。
【０１６９】
外装部７１２は例えば輪状に構成され、第３の空間７７２内には、例えば指、腕、足、頭部等を挿入することができる。尚、本実施形態においては、表面変形装置７６０を３つ設ける例を挙げて説明するが、表面変形装置７６０の数、大きさ、形状等はここに記載されるものに限定されない。
【０１７０】
表面変形装置７６０は、基材７０２と、弾性層７３０と、流体としての空気を供給可能な流体移送装置としての空気ポンプ１１と、両面粘着シート７３１を備える。
【０１７１】
基材７０２は、外装部７１２の内壁面に凸状に設けられる。基材７０２は、第３の空間７７２内で、外装部７１２の内壁面とともに第１の空間７７０を形成する。基材７０２は、プラスティックや所定の厚みをもったゴム材料等のある程度の硬度のある材質からなる。基材７０２は、空気ポンプ１１の稼動による弾性層７３０と基材７０２との間に形成される第２の空間７７１への空気注入による第２の空間７７１内の内圧上昇により変形しにくい材質から構成される。
【０１７２】
基材７０２は、第１の貫通孔としての注入口７２２と第２の貫通孔としての排気口７２１を有する。注入口７２２には、空気ポンプ１１のノズル１１１が接続される。注入口７２２は、両面粘着シート７３１により囲まれる領域の略中央部に位置するように配置され、排気口７２１は両面粘着シート７３１により囲まれる領域の周縁部付近に配置される。
【０１７３】
弾性層７３０は、第１実施形態と同様に伸展性に優れ、空気不透過の密閉性のある材質からなる。弾性層７３０はその外周部に沿って設けられた枠状の両面粘着シート７３１により基材７０２の表面に固着される。
【０１７４】
基材７０２の弾性層７３０によって覆われる面は凸曲面を有する。このように弾性層７３０が配置される領域が凸状の面となっているので、平面上に弾性層を設け空気を注入して膨張させる場合と比較して、少ない空気量で弾性層７３０を変位させることができる。
【０１７５】
更に、本実施形態においては、第２の空間７７１は、弾性層７３０と空気注入により変形しにくい材質からなる基材７０２とにより形成される。これにより、第２の空間７７１内へ供給する空気の体積量が少なくとも、基材本体７０２から弾性層７３０が持ち上がるように、弾性層７３０を変位させることができる。
【０１７６】
このように、少ない体積の空気で弾性層３０を変位させることができるので、表面変形装置の変形状態を短時間で切り替えることができ、利用者へ提示可能な触覚を多様なものとすることができる。
【０１７７】
弾性層７３０と基材７０２との間の第２の空間７７１の内圧は、空気ポンプ１１から送られてくる空気が注入されることにより、第１の空間７７０の内圧よりも高くなる。これにより、第２の空間７７１の内圧により弾性層７３０は外部方向に広がるように膨張する。
【０１７８】
第１の実施形態と同様に、空気ポンプ１１から空気が注入される前の第２の空間７７１の体積は、ほぼ０の状態である。空気ポンプ１１が稼動し、第２の空間７７１内に空気が注入されると弾性層７３０は膨らむ。
【０１７９】
空気ポンプ１１の稼動が停止すると、第２の空間７７１に注入された空気は、弾性層７３０の元の形状に戻ろうとする弾性力により、排気口７２１及び空気ポンプ１１を介して第１の空間７７０へと排気される。これにより、第２の空間７７１は縮小していき、体積はほぼ０の状態に戻る。
【０１８０】
このように、触覚提示装置を、身体部位を挿入することが可能な構成としてもよい。
【０１８１】
（第８の実施形態）
次に、第７の実施形態の応用例について説明する。第８の実施形態においては、触覚提示装置はグローブ形状の外装部を備え、利用者の身体部位である指や手のひらが挿入されるグローブの内部に表面変形装置が設けられる。利用者はグローブを手に装着することにより、何かを掴む触覚等を感じることができる。
【０１８２】
図３３（Ａ）はグローブ形状の触覚提示装置８０１を説明する概念図である。図３４は、触覚提示装置８０１の部分拡大断面図である。触覚提示装置８０１は、外装部であるグローブ本体８１０と、表面変形装置８６０を備える。図面において、便宜的に各構成の縮尺を異ならせている。
【０１８３】
図面上、円で囲んだ領域が、表面変形装置８６０により、身体部位に対して刺激を与える領域８８０である。表面変形装置８６０は、親指の腹、人差し指の腹、中指の腹、手のひらにそれぞれ刺激を与えるように設けられる。
【０１８４】
表面変形装置８６０は、注入口８２２及び排気口８２１を備え第１の空間８７０を有する基材８０２と、弾性層８３０と、空気ポンプ１１とを備える。
【０１８５】
基材８０２と弾性層８３０は、刺激を与える領域８８０に配置されるが、空気ポンプ１１は必ずしも刺激を与える領域８８０に配置されていなくてもよい。刺激を与える領域８８０に空気ポンプ１１が配置されない場合、空気ポンプと基材の注入口とは配管８８１を介して接続される。
【０１８６】
本実施形態においては、指の腹に刺激を与える表面変形装置８６０の空気ポンプ１１は、注入口８２２に配管８８１を介して接続し、指の付け根付近に設けられる。一方、手のひらに刺激を与える表面変形装置の空気ポンプ１１は刺激を与える領域８８０内に配置される。
【０１８７】
また、本実施形態においては、人差し指の腹に刺激を与える表面変形装置の空気ポンプ１１は、中指の腹に刺激を与える表面変形装置の空気ポンプ１１と共通であり、１つの空気ポンプで２つの異なる領域に刺激を与えるように構成される。
【０１８８】
これにより、人差し指の腹に刺激を与える表面変形装置の弾性層と中指の腹に刺激を与える表面変形装置の弾性層とは、共通の空気ポンプ１１の駆動により、ほぼ同時に膨らむことになる。
【０１８９】
一方、親指の腹に刺激を与える表面変形装置の空気ポンプ１１と、手のひらに刺激を与える表面変形装置の空気ポンプ１１とは、人差し指及び中指の腹に刺激を与える表面変形装置の空気ポンプ１１とは、独立して設けられ、個別に制御される。
【０１９０】
図３３（Ｂ）はグローブ形状のコントローラ１８０１の他の例を説明する概念図である。図３３（Ｂ）に示すように、刺激を与える領域８８０ごとに個別に空気ポンプ１１を設け、各領域を個別に制御するようにしてもよい。
【０１９１】
図３４は、グローブ形状の触覚提示装置８０１の指部分の内部構造を説明するための触覚提示装置８０１の部分概略断面図である。表面変形装置８６０は、基材８０２と、弾性層８３０と、流体としての空気を供給可能な流体移送装置としての空気ポンプ１１と、配管８８１を備える。
【０１９２】
基材８０２は、刺激を与える身体部位に対して凸状に設けられる。基材８０２は、第１の空間８７０が内部に形成された中空形状を有する。
【０１９３】
基材８０２は、プラスティックや金属等のある程度の硬度のある材質からなり、空気ポンプ１１の駆動による、弾性層８３０と基材８０２との間に形成される第２の空間８７１への空気注入による第２の空間８７１内の内圧上昇により変形しにくい材質からなる。
【０１９４】
基材８０２は、第１の貫通孔としての注入口８２２と第２の貫通孔としての排気口８２１とを有する。注入口８２２には、空気ポンプ１１のノズルが、配管８８１を介して接続される。
【０１９５】
弾性層８３０は、第１実施形態と同様に、伸展性に優れ、空気不透過の密閉性のある材質からなる。弾性層８３０はその外周部に沿って設けられた枠状の両面粘着シート８３１により基材８０２の表面に固着される。基材８０２の弾性層８３０によって覆われる面は凸曲面を有する。弾性層８３０は、注入口８２２と排気口８８１を覆うように、基材８０２の表面に配置される。
【０１９６】
弾性層８３０と基材８０２との間の第２の空間８７１の内圧は、空気ポンプ１１の稼動により空気ポンプ１１から送られてくる空気が注入されることにより、第１の空間８７０の内圧よりも高くなる。
【０１９７】
第２の空間８７１の内圧の上昇により弾性層８３０は外部方向に広がるように膨張する。弾性層８３０は、グローブ本体８１０の内面側に位置するように配置される。利用者がグローブ形状の触覚提示装置８０１を装着した際に、刺激を与える対象の身体部位が弾性層８３０と接するように配置される。
【０１９８】
空気ポンプ１１から空気が注入される前の第２の空間８７１の体積は、ほぼ０の状態である。空気ポンプ１１が稼動し、第２の空間８７１内に空気が注入されると弾性層８３０が膨らむ。
【０１９９】
空気ポンプ１１の稼動が停止すると、第２の空間８７１に注入された空気は、弾性層８３０の元の形状に戻ろうとする弾性力により、排気口８２１及び空気ポンプ１１を介して第１の空間８７０へと排気される。これにより、第２の空間８７１は縮小していき、体積はほぼ０の状態に戻る。
【０２００】
この弾性層８３０の膨張及び縮小という可逆的変形を利用して、利用者に対して様々な触覚を提供することができる。例えば、親指の腹、人差し指の腹、中指の腹、手のひらすべてに対応する表面変形装置を稼動することにより、各指腹と手のひらで反発力をうけて利用者は物を掴むような触覚を感じ取ることができる。
【０２０１】
図３５は、指の腹に刺激を与える他の構造の例である。図３４と同様の構成については同様の符号を付し、説明を省略する。
【０２０２】
図３５に示す触覚提示装置２８０１は、表面変形装置８６０と、装着ベルト２８１０とからなる。装着ベルト２８１０は、刺激を与える対象身体部位を表面変形装置８６０に固定するためのものである。
【０２０３】
図３３に示す触覚提示装置８０１及び１８０１では、グローブ本体８１０により、刺激を与える対象の身体部位と表面変形装置の弾性層との接触を維持していた。これに対し、図３５に示す触覚提示装置２８０１では、装着ベルト２８１０によって接触対象の身体部位を固定し、身体部位と表面変形装置の弾性層との接触を維持する構成としている。
【０２０４】
図３６は、表面変形装置８６０を用いた指へ与える触覚を説明するための図である。図３６では、１本の指の腹に対して、例えば個別に制御可能な第１の表面変形装置８６０aと第２の表面変形装置８６０ｂが指の長さ方向に２つ並んで設けられている。尚、表面変形装置の数、配置はこれに限定されない。
【０２０５】
図３６（Ａ）に示すように、膨張していた表面変形装置８６０aの弾性層を縮小し、これと同時に縮小していた第２の表面変形装置８６０ｂの弾性層を膨張させ、膨張による変形量を比較的小さくすることにより、指の腹の皮膚に対して垂直方向に何かが接触する触覚を利用者に与えることができる。
【０２０６】
図３６（Ｂ）に示すように、膨張していた表面変形装置８６０aの弾性層を縮小し、これと同時に縮小していた表面変形装置８６０ｂの弾性層を膨張させ、縮小及び膨張それぞれの変形量を図３６（Ａ）の場合よりも大きくすることにより、皮膚に対して垂直方向に何かを押し込む触覚を利用者に与えることができる。
【０２０７】
図３６（Ｃ）及び図３６（Ｄ）に示すように、駆動のタイミングをずらして順番に表面変形装置８６０a、表面変形装置８６０ｂというように駆動することにより、皮膚に対して図面上左から右に水平方向に皮膚が引っ張られる触覚を利用者に与えることができる。
【０２０８】
一方、表面変形装置８６０ｂ、表面変形装置８６０aの順番で駆動することにより、皮膚に対して図面上右から左に水平方向に皮膚が引っ張られる触覚を利用者に与えることができる。
【０２０９】
駆動のタイミングをずらして２つの表面変形装置を順に駆動する場合、図３６（Ｃ）に示すように、表面変形装置の膨張の度合いを比較的小さくすることにより、例えば、皮膚表面に何かが這う感覚を利用者に与えることができる。
【０２１０】
一方、膨張の度合いを比較的大きくすることにより、図３６（Ｄ）に示すように、皮膚に食い込むように何かが指の腹を通るような感覚を利用者に与えることができる。
【０２１１】
また、例えば、図３５に示すような装着ベルトで表面変形装置を指に固定する触覚提示装置を、親指及び人差し指に利用者に装着させ、図３６（Ｄ）のように、親指及び人差し指の両方の皮膚に対して水平方向の動きの刺激を皮膚に与えることにより、何かをつまむような触覚を利用者に与えることができる。
【０２１２】
非接触な状態から接触状態へ変化するときの感覚である接触覚と、接触状態から更に皮膚を押し込んだり横方向に変形させたりするときの感覚である圧覚は、刺激の方向において、図３６（Ａ）及び図３６（Ｂ）に示すように対象物に対して法線方向の刺激と、図３６（Ｃ）及び図３６（Ｄ）に示すように対象物に対して接線方向の刺激に分類される。これらを組み合わせることにより、弾性層に接触する利用者の身体部位である皮膚に対して様々な刺激を付与することができる。
【０２１３】
（第９の実施形態）
上述の各実施形態においては、表面変形装置の第２の貫通孔としての排気口は基材本体又は基材に設けられ、弾性層と基材との間の第２の空間内の空気は、排気口を介して、第２の空間の外部である基材又は基材本体により形成される第１の空間へ排気されていた。
【０２１４】
これに対し、本実施形態においては、基材又は基材本体ではなく、弾性層に第２の貫通孔（排気口）を設けている。
【０２１５】
図３７（Ａ）は、本実施形態に係る触覚提示装置としてのコントローラ９０１の表面変形装置９６０が配置される領域における、長手方向と直交する面で切断した断面図である。図３７（Ｂ）は、コントローラ９０１の部分上面図である。第１の実施形態と比較して、基材本体と弾性層の構造が異なるのみで他の構成については同様である。以下、同様の構成については同様の符号を付す。
【０２１６】
コントローラ９０１は、基材本体９０２と、表面変形装置９６０とを備える。基材本体９０２は第１の実施形態の基材本体２とほぼ同じ構成を有し、基材本体２から排気口を除いた構造を有する。
【０２１７】
表面変形装置９６０は、基材本体９０２と、弾性層９３０と、流体としての空気を供給可能な流体移送装置としての空気ポンプ１１と、両面粘着シート３１とにより構成される。基材本体９０２は、第１の貫通孔としての注入口２２を有する。弾性層９３０は、第２の貫通孔としての排気口９３２を有する。注入口２２には、空気ポンプ１１のノズル１１１が接続される。
【０２１８】
弾性層９３０は、注入口２２を覆うように、基材本体９０２の表面に配置される。本実施形態においては、弾性層９３０と基材本体９０２との間へ空気ポンプ１１により空気が注入されることにより、弾性層９３０と基材本体９０２との間に形成される第２の空間内の内圧が、基材本体９０２により形成される第１の空間７０よりも高くなり、弾性層９３０が膨張する。
【０２１９】
空気ポンプ１１の稼動時において、第２の空間内の空気は排気口９３２を介して、弾性層９３０の膨張を妨げない範囲で外部に排気される。また、空気ポンプ１１の停止により、第２の空間内の空気は、排気口９３２を介してコントローラ９０１の外部と、空気ポンプ１１の排気弁（図示せず）を介して第１の空間７０へ排気される。
【０２２０】
本実施形態では、弾性層９３０の排気口９３２からコントローラ９０１の外部へ空気が噴流するように構成される。これにより、利用者の皮膚に対して空気が吹き付けられ、触覚刺激を与えることができる。このように、弾性層９３０の膨張による疑似的触覚と、空気噴流による触覚刺激の両方を利用者に与えることができ、更に多様な触覚を提示することができる。
【０２２１】
（第１０の実施形態）
上述の各実施形態において、表面変形装置の一部を構成する弾性層の平面形状は主に矩形状としたがこれに限定されない。図３８は、弾性層の平面形状の他の例を示す。
【０２２２】
図３８（Ａ）に示すように角部が丸い略矩形状の弾性層１０３０としてもよいし、図３８（Ｂ）に示すように楕円状の弾性層１０３１としてもよい。また、図３８（Ｃ）に示すように、細長い六角形状の弾性層１０３２としてもよいし、図３８（Ｄ）に示すように、略Ｚ字状の弾性層１０３３としてもよい。
【０２２３】
以上、本技術の各実施形態について説明したが、本技術は上述の実施形態にのみ限定されるものではなく、本技術の要旨を逸脱しない範囲内において種々変更を加え得ることは勿論である。例えば上記各実施形態の構成を組み合わせてもよい。例えば、内包材と外包材の双方を備えたコントローラとしてもよい。
【０２２４】
また、上述の実施形態では、流体供給により表面が変形する表面変形装置を用いた触覚提示装置について説明したが、これに加え、振動を付与する機構を設けてもよく、これらの組み合わせにより、より多くの種類の触覚を提供することが可能となる。振動機構としては、振動モータ、ヴォイスコイルモータ、圧電素子等を用いることができる。
【０２２５】
基材の表面変形装置の弾性層が被覆される領域は、流体吸入による内圧上昇によって容易には変形できない程度の弾性率と形状を有していればよい。また、基材が表示装置であってもよい。また、基材が発熱機能を有していてもよい。
【０２２６】
上述の実施形態においては、表面変形装置の適用例として、手で把持するゲーム機のコントローラやグローブ形状の触覚提示装置を例にあげたが、これに限定されない。例えば、ヘッドマウントディスプレイ、ゴーグル、ヘッドフォン、リストバンド、ベルト、衣類などに適用してもよい。これにより表面変形装置の弾性層が接する身体部位に対して触覚を提示することができる。
【０２２７】
提示する触覚の例としては、表面変形装置の膨張変形による刺激、何かに触れたときの圧迫感や弾力感、心臓の鼓動や何かが蠢く感覚、ふわふわと揺れるような感覚、何かがぶつかったときの反動感、何かを打鍵した時の反動感等がある。
【０２２８】
また、上述の実施形態においては、ゲーム機のコントローラ等に適用し、ゲーム内のイベントに応じた様々な触覚を利用者に提示する例をあげたが、これに限定されない。例えば、車のハンドル、杖、腕時計、靴、指輪などに表面変形装置を設けてもよい。
【０２２９】
車のハンドルに表面変形装置を設ける場合は、例えばハンドルの把持部となる領域に複数の表面変形装置を設け、更に、利用者が把持する領域を感知するセンサ及び制御部が設けられる。
【０２３０】
制御部が何らかの危険が起こりうる状況を察知した場合、センサは把持領域を検出し、検出した領域の表面変形装置を稼動させて、利用者に対して注意を促すように構成される。利用者は、表面変形装置の稼動により、弾性部の膨張を手のひらで感知して、何らかの危険が起こりうる状況であることを察知することができる。
【０２３１】
このように触覚を利用者に与えることにより、注意喚起を促してもよい。また、危険アラームとなる注意喚起の他、方向指示に適用することもできる。
【０２３２】
また、車のハンドル以外にも、バイク、自転車等のハンドルにも適用することができ、これらの場合は、把持される領域がほぼ特定されるため、把持領域を検出するセンサは特に設けなくてもよい。
【０２３３】
杖に表面変形装置を設ける場合は例えば杖の把持部となる領域に設けられ、腕時計に表面変形装置を設ける場合は例えばベルトの内側に設けられる。靴に表面変形装置を設ける場合は、足の裏が刺激可能となるように靴の中底に設けられ、指輪に表面変形装置を設ける場合は指輪の内側面に設けられる。
【０２３４】
そして、表面変形装置を稼動することにより、利用者の表面変形装置の弾性層と接する身体部位に圧迫感を与える。これにより、例えば、リズミカルな圧迫刺激による血行の改善、注意喚起を促すための触覚提示による通知等を行うことができる。
【０２３５】
また、例えば利用者の両足にそれぞれ表面変形装置を配置し、一方の足のみに表面変形装置による圧迫刺激を与えて、どちらの方向に向えばよいかを利用者に知らせるといった情報通知に用いることもできる。
【０２３６】
また、手術トレーニングシュミレータに適用することもできる。手術トレーニングシュミレータは、術部の様子が映し出されるヘッドマウントディスプレイと、手術器具にみたてた触覚提示装置からなる。
【０２３７】
利用者は、ヘッドマウントディスプレイを装着してヘッドマウンドディスプレイに映し出される術部の様子をみながら触覚提示装置を手で持つことにより、例えば臓器に手術器具が触れるときの柔らかな感触を表面変形装置の稼動により、あたかもそこに実体があるかのように感触を得ながら、手技のトレーニングを行うことができる。
【０２３８】
なお、本技術は以下のような構成をとることもできる。
（１）第１の空間を形成し、第１の貫通孔を有する基材と、
前記基材の前記第１の貫通孔を含む表面を覆う弾性層と、
前記弾性層と前記基材との間に、前記第１の貫通孔を介して流体を注入する流体移送装置と
を具備し、
前記流体移送装置による前記流体の注入により前記弾性層と前記基材との間の第２の空間の内圧が前記第１の空間の内圧より高くなることにより前記弾性層は膨張し、前記流体移送装置の稼動の停止により前記第２の空間内に注入された流体は第２の貫通孔を介して前記第２の空間の外部に排気される
触覚提示装置。
（２）前記（１）に記載の触覚提示装置であって、
前記弾性層は、利用者の身体部位に接触可能に構成され、
前記弾性層によって覆われる前記基材の領域は、前記身体部位に対して凸状の面を有する
触覚提示装置。
（３）前記（１）又は（２）に記載の触覚提示装置であって、
前記弾性層によって覆われる前記基材の領域は凸曲面を有する
触覚提示装置。
（４）前記（３）に記載の触覚提示装置であって、
前記弾性層は長手方向を有する形状を有し、
前記弾性層は、その長手方向が前記凸曲面の曲面方向と一致するように配置される
触覚提示装置。
（５）前記（１）〜（４）のいずれか１つに記載の触覚提示装置であって、
前記流体移送装置の稼動が停止されている時に、前記第２の空間の体積が0となることが可能に構成される
触覚提示装置。
（６）前記（１）〜（５）のいずれか１つに記載の触覚提示装置であって、
前記流体移送装置は、前記第２の空間内の流体を前記第１の空間へ排気する排気弁を備える
触覚提示装置。
（７）前記（１）〜（６）のいずれか１つに記載の触覚提示装置であって、
前記第２の貫通孔は前記基材に設けられ、
前記弾性層は、前記基材の前記第１の貫通孔及び前記第２の貫通孔を含む表面を覆う
触覚提示装置。
（８）前記（１）〜（６）のいずれか１つに記載の触覚提示装置であって、
前記第２の貫通孔は前記弾性層に設けられる
触覚提示装置。
（９）前記（１）〜（８）のいずれか１つに記載の触覚提示装置であって、
前記基材は複数の第１の貫通孔を有し、
前記流体移送装置は前記第１の貫通孔毎に設けられ、前記弾性層は前記第１の貫通孔毎に設けられる
触覚提示装置。
（１０）前記（１）〜（９）のいずれか１つに記載の触覚提示装置であって、
前記弾性層と前記基材との間に形成される前記第２の空間は、互いに流体が移動可能な複数の領域に分割されている
触覚提示装置。
（１１）前記（１）〜（１０）のいずれか１つに記載の触覚提示装置であって、
前記弾性層は部分的に厚みが異なる
触覚提示装置。
（１２）前記（１）〜（１１）のいずれか１つに記載の触覚提示装置であって、
前記弾性層は、その表面に突起を有する
触覚提示装置。
（１３）前記（１）〜（１２）のいずれか１つに記載の触覚提示装置であって、
前記基材の前記弾性層によって覆われる領域の一部に突起が配置される
触覚提示装置。
（１４）前記（１）〜（１３）のいずれか１つに記載の触覚提示装置であって、
前記基材と前記弾性層との間に設けられた内包材
を更に具備する触覚提示装置。
（１５）前記（１）〜（１４）のいずれか１つに記載の触覚提示装置であって、
前記弾性層の、前記基材が配置される側とは反対側の面に設けられた外包材
を更に具備する触覚提示装置。
（１６）前記（１）〜（１５）のいずれか１つに記載の触覚提示装置であって、
前記弾性層は利用者によって把持される把持部に設けられる
触覚提示装置。
（１７）前記（１）〜（１５）のいずれか１つに記載の触覚提示装置であって、
第３の空間を有する外装部を更に具備し、
前記基材は、前記第３の空間内で、前記外装部の内壁面とともに前記第１の空間を形成する
触覚提示装置。
【符号の説明】
【０２３９】
１、３０１、４０１、５０１、７０１、９０１、１００１、１１０１、１２０１、１３０１…コントローラ（触覚提示装置）
２、９０２…基材本体（基材）
１１…空気ポンプ（流体移送装置）
２１、７２１、８２１、９３２…排気口（第２の貫通孔）
２２、７２２、８２２…注入口（第１の貫通孔）
３０、７３０、８３０、９３０、１０３０、１０３１、１０３２、１０３３、６０３０、６０３１、６０３２、６０３３、６０３４…弾性層
４０、４１…発泡シート（内包材）
５０、５１、５２…発泡シート（外包材）
７０、７７０…第１の空間
７１、１７１、７７１…第２の空間
１１３…排気弁
１７１ａ…第１の膨張領域（流体が移動可能な領域）
１７１ｂ…第２の膨張領域（流体が移動可能な領域）
７１２…基材
７７２…第３の空間
８０１…グローブ形状の触覚提示装置
８１０…グローブ本体（外装材）
２８０１…触覚提示装置
６０３０a、６０３０ｂ、６０３１a、６０３１ｂ、６０３１ｃ、６０３２a、６０３３a…突起
【図１】
2019044111.tif 000003
【図２】
2019044111.tif 000004
【図３】
2019044111.tif 000005
【図４】
2019044111.tif 000006
【図５】
2019044111.tif 000007
【図６】
2019044111.tif 000008
【図７】
2019044111.tif 000009
【図８】
2019044111.tif 000010
【図９】
2019044111.tif 000011
【図１０】
2019044111.tif 000012
【図１１】
2019044111.tif 000013
【図１２】
2019044111.tif 000014
【図１３】
2019044111.tif 000015
【図１４】
2019044111.tif 000016
【図１５】
2019044111.tif 000017
【図１６】
2019044111.tif 000018
【図１７】
2019044111.tif 000019
【図１８】
2019044111.tif 000020
【図１９】
2019044111.tif 000021
【図２０】
2019044111.tif 000022
【図２１】
2019044111.tif 000023
【図２２】
2019044111.tif 000024
【図２３】
2019044111.tif 000025
【図２４】
2019044111.tif 000026
【図２５】
2019044111.tif 000027
【図２６】
2019044111.tif 000028
【図２７】
2019044111.tif 000029
【図２８】
2019044111.tif 000030
【図２９】
2019044111.tif 000031
【図３０】
2019044111.tif 000032
【図３１】
2019044111.tif 000033
【図３２】
2019044111.tif 000034
【図３３】
2019044111.tif 000035
【図３４】
2019044111.tif 000036
【図３５】
2019044111.tif 000037
【図３６】
2019044111.tif 000038
【図３７】
2019044111.tif 000039
【図３８】
2019044111.tif 000040
【図３９】
2019044111.tif 000041
【国際調査報告】
2019044111.tif 000042
2019044111.tif 000043
2019044111.tif 000044
2019044111.tif 000045